(57)【要約】【課題】画像ファイルを１つの文書にまとめる場合に、事前に不要ページを効率的に除外することができる情報処理装置、情報処理方法及び情報処理プログラムを提供する。【解決手段】画像ファイルの内容のプレビューを表示させる表示処理部と、前記画像ファイル中の印刷対象となる画像をページ単位で指定する指定情報を取得する取得部と、前記指定情報で指定されたページを印刷する印刷ジョブ（入稿される新規文書）を作成する作成部と、を有する。【選択図】図３
2014126941.tif 000002
【特許請求の範囲】
【請求項１】
画像ファイルの内容のプレビューを表示させる表示処理部と、
前記画像ファイル中の印刷対象となる画像をページ単位で指定する指定情報を取得する取得部と、
前記指定情報で指定されたページを印刷する印刷ジョブを作成する作成部と、
を有することを特徴とする情報処理装置。
【請求項２】
前記表示処理部は、
前記指定情報に対応する画像のプレビューを表示させること
を特徴とする請求項１に記載の情報処理装置。
【請求項３】
画像ファイルの内容のプレビューを表示させる工程と、
前記画像ファイル中の印刷対象となる画像をページ単位で指定する指定情報を取得する工程と、
前記指定情報で指定されたページを印刷する印刷ジョブを作成する工程と、
を含む情報処理方法。
【請求項４】
画像ファイルの内容のプレビューを表示させるステップと、
前記画像ファイル中の印刷対象となる画像をページ単位で指定する指定情報を取得するステップと、
前記指定情報で指定されたページを印刷する印刷ジョブを作成するステップと、
をコンピュータに実行させるための情報処理プログラム。
【発明の詳細な説明】
【技術分野】
【０００１】
本発明は、情報処理装置、情報処理方法及び情報処理プログラムに関する。
【背景技術】
【０００２】
紙原稿をスキャンして作成したデータやアプリケーションデータをまとめて入稿することにより、画像データから印刷文書データを作成する印刷編集システムが知られている。印刷編集システムにおいては、１つ又は複数の原稿データが入ったファイルを同時に指定して印刷ジョブを作成することにより、入稿する方法がある。また、印刷編集システムに入稿する前に、選択した原稿ファイルの先頭ページだけをプレビュー表示し、先頭ページの内容を確認可能にすることも知られている。
【０００３】
例えば、特許文献１には、画像ページおよび非画像ページを含む電子原稿ファイルを作成する電子原稿ファイル作成手段と、電子原稿ファイル中の画像ページを編集する編集手段と、該編集手段の編集対象として、電子原稿ファイルから選択されたページ群を構成する各ページ単位に、画像ページか非画像ページかを判定する判定手段と、該判定手段で画像ページとして判定されたページ群を、編集手段による編集対象として決定する文書処理装置が開示されている。
【発明の概要】
【発明が解決しようとする課題】
【０００４】
しかしながら、複数の画像ファイルを１つの文書にまとめる場合に、事前に不要ページを効率的に除外することができないという問題があった。
【０００５】
本発明は、上記に鑑みてなされたものであって、画像ファイルを１つの文書にまとめる場合に、事前に不要ページを効率的に除外することができる情報処理装置、情報処理方法及び情報処理プログラムを提供することを目的とする。
【課題を解決するための手段】
【０００６】
上述した課題を解決し、目的を達成するために、本発明は、画像ファイルの内容のプレビューを表示させる表示処理部と、前記画像ファイル中の印刷対象となる画像をページ単位で指定する指定情報を取得する取得部と、前記指定情報で指定されたページを印刷する印刷ジョブを作成する作成部と、を有する。
【発明の効果】
【０００７】
本発明によれば、画像ファイルを１つの文書にまとめる場合に、事前に不要ページを効率的に除外することができるという効果を奏する。
【図面の簡単な説明】
【０００８】
【図１】図１は、実施の形態にかかる情報処理装置が有する機能の概要を示す機能ブロック図である。
【図２】図２は、ユーザーによる操作入力に応じて表示処理部が表示装置に表示させる新規ジョブ作成画面を例示する図である。
【図３】図３は、新規ジョブ作成画面において、特定のページが指定された場合の画像ファイルと印刷ジョブとの関係を例示する図である。
【図４】図４は、新規ジョブ作成画面において、連続したページが指定された場合の画像ファイルと印刷ジョブとの関係を例示する図である。
【図５】図５は、複数の画像ファイルからページを指定して印刷ジョブを作成した場合の印刷ジョブの構成を例示する図である。
【図６】図６は、図５に示した印刷ジョブを構成する場合のファイル名表示領域及びページ範囲表示領域の表示例（設定例）を示す図である。
【図７】図７は、情報処理装置が印刷ジョブを作成するために実行する情報処理プログラムの処理を例示するフローチャートである。
【発明を実施するための形態】
【０００９】
以下に添付図面を参照して、実施の形態にかかる情報処理装置１０について説明する。図１は、実施の形態にかかる情報処理装置１０が有する機能の概要を示す機能ブロック図である。なお、情報処理装置１０は、例えば図示しないＣＰＵ、記憶装置及び入出力装置等を有するＰＣ（Personal  Computer）などである。図１に示すように、情報処理装置１０は、表示処理部１２、取得部１４及び作成部１６を有する。
【００１０】
表示処理部１２は、画像ファイル及びユーザーによる操作入力を受入れ、後述するプレビュー表示領域２０４等を出力装置（表示装置等）に表示させる。取得部１４は、ユーザーによる操作入力に応じて後述する指定情報を取得し、取得した指定情報を表示処理部１２及び作成部１６に対して出力する。作成部１６は、画像ファイルと、取得部１４が出力した指定情報とを受入れ、指定情報に対応する画像ファイルを用いて印刷ジョブを作成する。
【００１１】
図２は、ユーザーによる操作入力に応じて表示処理部１２が表示装置に表示させる新規ジョブ作成画面２０を例示する図である。図２に示すように、表示処理部１２が表示させる新規ジョブ作成画面２０は、フォルダ表示領域２００、ファイル表示領域２０２、追加入力ボタン２０３、プレビュー表示領域２０４、ジョブ構成表示領域２０６及びジョブ作成ボタン２０８を含む。
【００１２】
フォルダ表示領域２００は、情報処理装置１０に含まれるフォルダ一覧を表示する領域である。ファイル表示領域２０２は、フォルダ表示領域２００において選択されたフォルダ内のファイル一覧を表示する領域である。
【００１３】
追加入力ボタン２０３は、ファイル表示領域２０２内のファイルが選択された状態で押下（例えばクリックなど）されると、選択されたファイルをジョブ構成表示領域２０６のファイル名表示領域２１０に表示させる。ここで、ファイル名表示領域２１０に表示されたファイルは、印刷ジョブに含まれる原稿を含むファイル（画像ファイル）となる。
【００１４】
プレビュー表示領域２０４は、ジョブ構成表示領域２０６のファイル名表示領域２１０において選択されたファイルの内容のプレビューを表示する領域である。プレビュー表示領域２０４には、ボタン３０１〜３０４が含まれる。また、プレビュー表示領域２０４には、ページ表示領域３０５及び総数表示領域３０６が含まれる。
【００１５】
例えば、プレビュー表示領域２０４は、ファイル名表示領域２１０において選択された画像ファイル内のページ表示領域３０５が表示するページのプレビューを表示する。また、ページ表示領域３０５は、直接数値（ページ番号）を入力可能にされた入力エディットボックスにもなっている。そして、ユーザーがページ表示領域３０５にページ番号を入力してページを指定すると、プレビュー表示領域２０４はページ表示領域３０５に入力されたページ番号のプレビューを表示する。総数表示領域３０６は、ファイル名表示領域２１０において選択された画像ファイルの総ページ数を表示する領域である。
【００１６】
また、ボタン３０１が押下されると、プレビュー表示領域２０４は、ファイル名表示領域２１０において選択された画像ファイル内の最初のページを表示する。ボタン３０２が押下されると、プレビュー表示領域２０４は、現在表示しているページの１つ前のページを表示する。ボタン３０３が押下されると、プレビュー表示領域２０４は、現在表示しているページの１つ後ろのページを表示する。ボタン３０４が押下されると、プレビュー表示領域２０４は、ファイル名表示領域２１０において選択された画像ファイル内の最後のページを表示する。
【００１７】
このように、ボタン３０１〜３０４又はページ表示領域３０５のいずれかによって画像ファイル内のページが指定されると、取得部１４（図１）は、画像ファイル内のページをページ単位で指定する指定情報を取得する。そして、表示処理部１２（図１）は、取得部１４からページを指定する指定情報を受入れ、指定情報に対応する画像のプレビューをプレビュー表示領域２０４に表示させる。
【００１８】
ジョブ構成表示領域２０６は、上述したファイル名表示領域２１０及びページ範囲表示領域２１２などを含み、ジョブを構成するページを画像ファイル毎に、例えば印刷順に上側から表示する領域である。ページ範囲表示領域２１２は、ファイル名表示領域２１０に表示される画像ファイル毎に、ジョブに含まれる印刷対象となるページの範囲を表示する領域である。また、ページ範囲表示領域２１２は、画像ファイル内のページをそれぞれ特定する入力を可能にする入力エディットボックスにもなっている。
【００１９】
例えば、ユーザーは、原稿ファイルとなる画像ファイルの全ページをジョブの印刷対象とする場合、ファイル名表示領域２１０に表示される画像ファイル名に対応するページ範囲表示領域２１２に「すべて」を入力する。これにより、情報処理装置１０は、「すべて」が入力された画像ファイルの全ページをジョブの印刷対象とする。
【００２０】
また、ユーザーは、画像ファイル中の特定のページをジョブの印刷対象として指定する場合、ページ番号をページ範囲表示領域２１２に直接入力する。例えば、５５ページを印刷対象とする場合、ユーザーは、ファイル名表示領域２１０に表示される画像ファイル名に対応するページ範囲表示領域２１２に「５５」と入力する。
【００２１】
また、ユーザーは、画像ファイル中のある連続した範囲のページをジョブの印刷対象として指定する場合、開始ページから終了ページまでのページ番号をページ範囲表示領域２１２に直接入力する。例えば、３４〜５０ページまでの連続するページを印刷対象とする場合、ユーザーは、ファイル名表示領域２１０に表示される画像ファイル名に対応するページ範囲表示領域２１２に「３４−５０」と入力する。
【００２２】
ページの指定は、任意に組み合わせて入力されてもよい。例えば、図２には、画像ファイルＤｏｃ＿ＱＱＱに対し、「３４−５０，５，７−１２，３」のページ番号が指定されている。このページ番号の指定は、ジョブにおいて３４〜５０ページ目、５ページ目、７〜１２ページ目、３ページ目の順に印刷されることを示す。
【００２３】
また、ジョブ構成表示領域２０６には、ボタン３０７〜３１０、第１削除ボタン３１１及び第２削除ボタン３１２が含まれる。
【００２４】
ボタン３０７が押下されると、ジョブ構成表示領域２０６は、ファイル名表示領域２１０において選択された画像ファイルを、ファイル名表示領域２１０の最上部に表示する。つまり、ボタン３０７が押下されると、ファイル名表示領域２１０において選択された画像ファイルは、ジョブの先頭に移動する。
【００２５】
ボタン３０８が押下されると、ジョブ構成表示領域２０６は、ファイル名表示領域２１０において選択された画像ファイルを、ファイル名表示領域２１０において１つ上側に移動させて表示する。ボタン３０９が押下されると、ジョブ構成表示領域２０６は、ファイル名表示領域２１０において選択された画像ファイルを、ファイル名表示領域２１０において１つ下側に移動させて表示する。ボタン３１０が押下されると、ジョブ構成表示領域２０６は、ファイル名表示領域２１０において選択された画像ファイルを、ファイル名表示領域２１０の最下部に表示する。上述したように、ジョブ構成表示領域２０６に表示される画像ファイルの順序は、ジョブの印刷順を示す。
【００２６】
第１削除ボタン３１１が押下されると、ジョブ構成表示領域２０６は、ファイル名表示領域２１０においてユーザーが選択した画像ファイルを削除する。第２削除ボタン３１２が押下されると、ジョブ構成表示領域２０６は、ファイル名表示領域２１０に表示された全ての画像ファイルを削除する。
【００２７】
つまり、情報処理装置１０は、ジョブ構成表示領域２０６を介して画像ファイルの追加、削除及び順序変更を可能にしており、ジョブ構成表示領域２０６に上側から並べられた画像ファイルに含まれるページを印刷対象とするジョブを特定する。
【００２８】
ジョブ作成ボタン２０８が押下されると、作成部１６（図１）は、ジョブ構成表示領域２０６を介して特定されたジョブを例えば１組のファイルとする（文書化する）ように印刷ジョブを作成する。印刷ジョブは、画像データから印刷文書データを作成する印刷編集システム等に対する原稿の入稿となる。したがって、ユーザーは、印刷編集システムに原稿を入稿する前に、原稿ファイルの内容をプレビュー表示させながら確認し、同時にページ範囲も指定することができる。
【００２９】
次に、情報処理装置１０の処理について、具体例を示して説明する。図３は、新規ジョブ作成画面２０において、特定のページが指定された場合の画像ファイル（原稿ファイル）と印刷ジョブ（入稿される新規文書）との関係を例示する図である。例えば１〜８ページの画像ファイル（原稿ファイル）内の１、３、５、８ページのみを新規文書として入稿させる場合には、図２に示したページ範囲表示領域２１２に１、３、５、８の値を入力することによって印刷ジョブが設定される。
【００３０】
図４は、新規ジョブ作成画面２０において、連続したページが指定された場合の画像ファイル（原稿ファイル）と印刷ジョブ（入稿される新規文書）との関係を例示する図である。例えば１〜８ページの画像ファイル（原稿ファイル）内の２〜５ページを新規文書として入稿させる場合には、図２に示したページ範囲表示領域２１２に２−５を入力することによって印刷ジョブが設定される。
【００３１】
図５は、複数の画像ファイル（原稿ファイル）からページを指定して印刷ジョブ（入稿される新規文書）を作成した場合の印刷ジョブの構成を例示する図である。図６は、図５に示した印刷ジョブを構成する場合のファイル名表示領域２１０及びページ範囲表示領域２１２の表示例（設定例）を示す図である。例えば、原稿ファイルＡは全ページ、原稿ファイルＢは１ページと３〜５ページ、原稿ファイルＣは６ページと３ページの順で、複数の原稿ファイルをまとめて新規文書とする場合（図５）、ファイル名表示領域２１０は原稿ファイルＡ、Ｂ、Ｃの順に設定され、ページ範囲表示領域２１２には上側から「すべて」、「１、３−５」、「６、３」の順に設定される。
【００３２】
次に、情報処理装置１０が印刷ジョブを作成するために実行する情報処理プログラムについて説明する。図７は、情報処理装置１０が印刷ジョブを作成するために実行する情報処理プログラムの処理を例示するフローチャートである。
【００３３】
図７に示すように、ステップ１００（Ｓ１００）において、表示処理部１２は、ユーザーによる操作入力に応じて、画像ファイルの内容のプレビューを表示するプレビュー表示領域２０４を含む新規ジョブ作成画面２０を図示しない表示装置等に表示させる。
【００３４】
ステップ１０２（Ｓ１０２）において、取得部１４は、ユーザーによる操作入力に応じて、画像ファイル中の印刷対象となる画像をページ単位で指定する指定情報を取得する。
【００３５】
ステップ１０４（Ｓ１０４）において、作成部１６は、画像ファイルと、取得部１４が取得した指定情報とを受入れ、指定情報に対応する画像ファイルを用いて印刷ジョブを作成する。
【００３６】
なお、本実施形態の情報処理装置１０で実行される情報処理プログラムは、例えば上述した各部（表示処理部１２、取得部１４及び作成部１６など）を含むモジュール構成となっている。また、実際のハードウェアとしては図示しないＣＰＵが記憶媒体から情報処理プログラムを読み出して実行することにより上記各部が主記憶装置上にロードされる。
【００３７】
本実施形態の情報処理装置１０で実行される情報処理プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録されてコンピュータ・プログラム・プロダクトとして提供される。
【００３８】
また、本実施形態の情報処理装置１０で実行される情報処理プログラムを、インターネット等のネットワークに接続されたコンピュータ上に格納し、ネットワーク経由でダウンロードさせることにより提供するように構成してもよい。
【００３９】
また、本実施形態の情報処理プログラムを、ＲＯＭ等に予め組み込んで提供するように構成してもよい。
【符号の説明】
【００４０】
１０  情報処理装置
１２  表示処理部
１４  取得部
１６  作成部
２０  新規ジョブ作成画面
２００  フォルダ表示領域
２０２  ファイル表示領域
２０３  追加入力ボタン
２０４  プレビュー表示領域
２０６  ジョブ構成表示領域
２０８  ジョブ作成ボタン
２１０  ファイル名表示領域
２１２  ページ範囲表示領域
３０１〜３０４、３０７〜３１０  ボタン
３０５  ページ表示領域
３０６  総数表示領域
３１１  第１削除ボタン
３１２  第２削除ボタン
【先行技術文献】
【特許文献】
【００４１】
【特許文献１】特開２００５−３０９５１４号公報
【図１】
2014126941.tif 000003
【図２】
2014126941.tif 000004
【図３】
2014126941.tif 000005
【図４】
2014126941.tif 000006
【図５】
2014126941.tif 000007
【図６】
2014126941.tif 000008
【図７】
2014126941.tif 000009